(57)【特許請求の範囲】
【請求項１】
第１面を有する第１筐体と、
前記第１筐体における前記第１面側に積層配置されると共に前記第１筐体側と反対側に形成され前記第１面と略平行な第２面を有する第２筐体と、
前記第１筐体と前記第２筐体との間に配置される第３筐体と、
前記第２筐体と前記第３筐体とを、前記第２筐体における厚さ方向に伸びる回転軸を中心に互いに回転可能に連結することにより、前記第２筐体を、前記第１面が前記第２筐体により覆われる閉状態と、前記第１面における全部又は一部が露出される開状態とに回転移動可能な回転連結部と、
前記第１筐体と前記第３筐体とを、前記第１面と前記２面とのなす角度を変更可能に連結することにより、前記第３筐体及び前記第２筐体を前記第１筐体に対して傾斜させた状態に回動移動可能な回動連結部と、を備え、
前記第１筐体は、前記第１面側に形成され、前記第２筺体が前記第１筐体に対して積層配置された状態において前記第３筐体が収容配置される凹状の収容部を有し、
前記回動連結部により前記第３筐体及び前記第２筐体を前記第１面に対する前記第２面のなす角度が小さくなるよう配置させた立ち上がり状態において、前記回転軸方向における前記第２面側からみた場合、前記第３筐体は、前記第２筐体により外縁が露出しないよう覆われている
電子機器。
【請求項２】
第１面を有する第１筐体と、
前記第１筐体における前記第１面側に積層配置されると共に前記第１筐体側と反対側に形成され前記第１面と略平行な第２面を有する第２筐体と、
前記第１筐体と前記第２筐体との間に配置される第３筐体と、
前記第２筐体と前記第３筐体とを、前記第２筐体における厚さ方向に伸びる回転軸を中心に互いに回転可能に連結することにより、前記第２筐体を、前記第１面が前記第２筐体により覆われる閉状態と、前記第１面における全部又は一部が露出される開状態とに回転移動可能な回転連結部と、
前記第１筐体と前記第３筐体とを、前記第１面と前記２面とのなす角度を変更可能に連結することにより、前記第３筐体及び前記第２筐体を前記第１筐体に対して傾斜させた状態に回動移動可能な回動連結部と、を備え、
前記第１筐体は、前記第１面側に形成され、前記第２筺体が前記第１筐体に対して積層配置された状態において前記第３筐体が収容配置される凹状の収容部を有し、
前記第１筐体における前記収容部の底面と、前記第１面と反対側の面との間には、所定の部材が収容配置される
電子機器。
【請求項３】
前記回転連結部は、
前記第２筐体を、前記第１面が前記第２筐体により覆われる閉状態と、前記第１面における全部又は一部が露出される開状態とに回転移動させることが可能であると共に、前記第２筐体を第１方向に前記閉状態から略９０度回転移動させた第１開状態と、前記第２筐体を前記第１方向と反対方向である第２方向に前記閉状態から略９０度回転移動させた第２開状態とに回転移動可能であり、
前記回動連結部は、
前記第１開状態において、前記第３筐体及び前記第２筐体を前記第１筐体に対して傾斜させた第１立ち上がり状態に、
前記第２開状態において前記第３筐体及び前記第２筐体を前記第１筐体に対して傾斜させた第２立ち上がり状態に、それぞれ回動移動可能であり、
前記第１筐体と前記第２筐体とは、
前記回転軸方向からみて略同一外形を有すると共に、前記閉状態において、互いの外縁が略重なるように配置され、
前記回転連結部は、
前記閉状態において、前記第１筐体及び前記第２筐体の長手方向における一端側であって短手方向における略中央に配置され、
前記第２筐体の前記長手方向における前記一端側の外縁は、
前記第１開状態及び前記第２開状態において、前記第１筐体の前記短手方向における外縁に重なるように配置される
請求項１又は２に記載の電子機器。
【請求項４】
前記回転連結部は、前記第１開状態又は前記第２開状態において、前記閉状態における位置よりも前記長手方向における前記一端側の位置に移動される
請求項３に記載の電子機器。
【請求項５】
複数の機能と、
前記複数の機能における所定の機能を動作させる機能制御部と、を備え、
前記回転連結部は、
前記第２筐体を、前記第１面が前記第２筐体により覆われる閉状態と、前記第１面における全部又は一部が露出される開状態とに回転移動させることが可能であると共に、前記第２筐体を第１方向に前記閉状態から略９０度回転移動させた第１開状態と、前記第２筐体を前記第１方向と反対方向である第２方向に前記閉状態から略９０度回転移動させた第２開状態とに回転移動可能であり、
前記機能制御部は、
前記第２筐体が第１方向に略９０度回転移動されて前記第１開状態となった場合に第１機能を動作させ、
前記第２筐体が第２方向に略９０度回転移動されて前記第２開状態となった場合に第２機能を動作させる
請求項１から４のいずれかに記載の電子機器。
【請求項６】
前記第１機能又は前記第２機能における少なくとも一方がテレビ視聴機能である
請求項５に記載の電子機器。
【請求項７】
前記第１面には操作部が設けられ、
前記第２面には表示部が設けられ、
前記閉状態及び前記開状態において、前記第２面は外部に露出している
請求項３に記載の電子機器。
【発明の詳細な説明】
【技術分野】
【０００１】
本発明は、携帯電話機等の電子機器に関する。
【背景技術】
【０００２】
従来、電子機器としての携帯電話機として、いわゆるストレートタイプ、折り畳み（フォルダ）タイプ等のほか、ターンタイプがあった。
ターンタイプの携帯電話機として、例えば、互いに重ね合わせ可能な操作部側筐体及び表示部側筐体と、両筐体を重ね合わせ方向に沿う軸線を中心に回転可能に連結する連結部とを有する携帯電話機が提案されている（例えば、特許文献１参照）。
【特許文献１】特開２００５−５１４２０号公報
【発明の開示】
【発明が解決しようとする課題】
【０００３】
しかし、特許文献１の携帯電話機は、例えば、机上に載置した状態等で表示部側筐体に配置された表示部が見にくいという問題があった。
特に、携帯電話機がテレビ機能を有する場合、例えば、机上に載置した状態等ではテレビ画像が見にくいという問題があった。
【０００４】
本発明は、上記事情に鑑みなされたもので、利用者の利便性を向上させることが可能な電子機器を提供することを目的とする。
【課題を解決するための手段】
【０００５】
本発明は、第１筐体と、該第１筐体との重ね合わせ方向に略水平な回転軸を中心として回転可能な第２筐体とを備える電子機器であって、前記第１筐体は、前記第１筐体と前記第２筐体とが閉状態になった際に、該第２筐体と重ね合わされる第１面を有し、前記第２筐体は、前記第１筐体における前記第１面側に配置され第２面を有し、前記第１筐体と前記第２筐体との間に配置される第３筐体と、前記第２筐体と前記第３筐体とを前記第２筐体における厚さ方向に伸びる前記回転軸を中心に互い回転可能に連結する回転連結部と、前記第１筐体と前記第３筐体とを前記第１面と前記２面とのなす角度を変更可能に連結する回動連結部と、を備える電子機器に関する。
【０００６】
また、前記回転連結部は、前記第２筐体を、前記第１面を覆うように配置する閉状態と、前記第１面における全部又は一部を露出させるように配置する開状態とに回転移動させることが可能であり、前記回動連結部は、前記開状態において、前記第３筐体及び前記第２筐体を前記第１面に対する前記第２面のなす角度が小さくなるよう配置させた立ち上がり状態に回動移動可能であることが好ましい。
【０００７】
また、前記回転連結部は、前記第２筐体を第１方向に略９０度回転移動させた第１開状態と、前記第２筐体を前記第１方向と反対方向である第２方向に略９０度回転移動させた第２開状態とに回転移動可能であり、前記回動連結部は、前記第１開状態における前記第３筐体及び前記第２筐体を前記第１面に対する前記第２面のなす角度が小さくなるよう回動移動させた第１立ち上がり状態と、前記第２開状態における前記第３筐体及び前記第２筐体を前記第１面に対する前記第２面のなす角度が小さくなるよう回動移動させた第２立ち上がり状態とに回動移動可能であることが好ましい。
【０００８】
また、前記第１筐体と前記第２筐体とは前記回転軸方向からみて略同一外形を有すると共に、前記閉状態において、互いの外縁が略重なるように配置され、前記回転連結部は、前記閉状態において、前記第１筐体及び前記第２筐体の長手方向における一端側であって短手方向における略中央に配置され、前記第２筐体の前記長手方向における他端側の外縁は、前記第１開状態及び前記第２開状態において、前記第１筐体における前記短手方向における外縁に重なるように配置されることが好ましい。
【０００９】
また、前記回転連結部は、前記第１開状態又は前記第２開状態において、前記閉状態における位置よりも前記長手方向における前記一端側の位置に移動されることが好ましい。
【００１０】
また、複数の機能と、前記複数の機能における所定の機能を動作させる機能制御部と、を備え、前記機能制御部は、前記第２筐体が前記第１方向に略９０度回転移動されて前記第１開状態となった場合に第１機能を動作させ、前記第２筐体が前記第２方向に略９０度回転移動されて前記第２開状態となった場合に前記第１機能とは異なる第２機能を動作させることが好ましい。
【００１１】
また、前記第１機能又は前記第２機能における少なくとも一方がテレビ視聴機能であることが好ましい。
【００１２】
また、前記第１筐体は、前記第１面側に形成され、前記第２筐体が前記第１筐体に対して積層配置された状態において前記第３筐体が収容配置される凹状又は孔状の収容部を有することが好ましい。
【００１３】
また、前記収容部は、凹状であり、前記第１筐体における前記収容部の底面と、前記第１面と反対側の面との間には、所定の部材が収容配置されることが好ましい。
【発明の効果】
【００１４】
本発明によれば、利用者の利便性を向上させることが可能な電子機器を提供することができる。
【発明を実施するための最良の形態】
【００１５】
以下、図面を参照して本発明を実施するための最良の形態を説明する。
図１から図７により、電子機器としての携帯電話機１における基本構造を説明する。
図１は、閉状態における携帯電話機１の斜視図である。図２は、開状態（第３開状態）における携帯電話機１の斜視図である。図３は、第１開状態における携帯電話機１の斜視図である。図４は、第２開状態における携帯電話機１の斜視図である。図５は、第１立ち上がり状態における携帯電話機１の斜視図である。図６は、第２立ち上がり状態における携帯電話機１の斜視図である。図７は、第２立ち上がり状態における携帯電話機１を裏面からみた斜視図である。
【００１６】
図１から図７に示すように、携帯電話機１は、第１筐体としての操作部側筐体２と、第２筐体としての表示部側筐体３と、第３筐体としての連結筐体６と、連結筐体６と表示部側筐体３とを回転軸Ｚ１を中心に回転可能に連結する回転連結部４と、連結筐体６と操作部側筐体２とを回動軸Ｚ２を中心に回動可能に連結する回動連結部５と、を備える。操作部側筐体２と表示部側筐体３とは、回転連結部４における回転軸Ｚ１方向から見て略同一の外縁（外形）を有する。
【００１７】
操作部側筐体２は、操作部１１を有する。操作部１１は、第１面としての操作面２Ａに配置される。操作部１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作部１１を構成する各キーそれぞれには、操作部側筐体２と表示部側筐体３との状態（開閉状態、立ち上がり状態）や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１８】
また、操作部側筐体２には、キー構造部と、キー基板と、ケース体と、基準電位パターン層及び携帯電話機用のＲＦ（Ｒａｄｉｏ  Ｆｒｅｑｕｅｎｃｙ）モジュールやＣＰＵ等の各種電子部品を備える第１回路基板と、アンテナ部と、バッテリとが収容配置される。
【００１９】
また、操作部側筐体２における操作面２Ａには、連結筐体６を収容可能な凹状の収容部７が形成される。収容部７は、操作面２Ａの長手方向における操作部１１が形成された側とは異なる側に形成される。また、収容部７は、回動連結部５に隣接して形成される。
【００２０】
操作部側筐体２は、回動連結部５により連結筐体６と互いに回動軸Ｚ２を中心に回動可能に連結される。操作部側筐体２は、連結筐体６を介して表示部側筐体３と回動軸Ｚ２を中心に回動可能に連結される。
【００２１】
表示部側筐体３は、表示部２０を有する。表示部２０は、第２面としての表示面３Ａに配置される。表示部２０は、表示された画像が視認可能に外部に露出して配置される。表示部２０は、液晶パネルと、液晶パネルを駆動する駆動回路と、液晶パネルの背面側から光を照射するバックライト等の光源部とから構成される。
また、表示部側筐体３には、音声出力部と、表示部２０と、表示部２０が接続された第２回路基板としてのプリント基板７１とが収容配置される。
【００２２】
表示部側筐体３は、回転連結部４により連結筐体６と互いに回転軸Ｚ１を中心に回転可能に連結される。表示部側筐体３は、連結筐体６を介して操作部側筐体２と回転軸Ｚ１を中心に回転可能に連結される。
【００２３】
回転連結部４は、連結筐体６と表示部側筐体３とを互いに回転軸Ｚ１を中心に回転可能に連結する。回転連結部４は、閉状態において、携帯電話機１（操作部側筐体２）の長手方向における一端側であって短手方向における略中央に配置される。回転連結部４は、後述する第１開状態及び第２開状態において、表示部側筐体３における操作部側筐体２と重なる部分の外縁が操作部側筐体２の外縁と重なるようになる位置に配置される。また、回転連結部４は、後述するように表示部側筐体３の回転移動に対応して移動可能に構成される。
【００２４】
回動連結部５は、連結筐体６と操作部側筐体２とを回動軸Ｚ２を中心に互いに回動可能に連結する。回動連結部５は、連結筐体６における一端側と、操作部側筐体２の長手方向における中央領域における所定位置とを回動可能に連結する。回動連結部５は、収容部７の近傍に配置される。
【００２５】
連結筐体６は、操作部側筐体２と表示部側筐体３との間に配置される。連結筐体６は、回転連結部４により表示部側筐体３と回転可能に連結されると共に、回動連結部５により操作部側筐体２と回動可能に連結される。
【００２６】
連結筐体６は、回動連結部５により、操作部側筐体２に形成された収容部７に収容配置された状態と、収容部７から立ち上がるように回動移動された立ち上がり状態（図５から図７参照）とに変形可能に連結される。連結筐体６が立ち上がるように回動移動されることで、連結筐体６に回転連結部４により連結される表示部側筐体３も立ち上がるように回動移動される（図５から図７参照）。
【００２７】
連結筐体６は、該連結筐体６が収容部７に収容配置された状態において、回転連結部４により表示部側筐体３が閉状態（図１参照）、第１開状態（図３参照）、第２開状態（図４参照）、第３開状態（図２参照）に回転移動可能に連結される。
【００２８】
続けて、図１から図７により、携帯電話機１における各種形態について説明する。
図１に示すように、閉状態において、操作部側筐体２と表示部側筐体３とは、互いに重ね合わされるように積層配置される。具体的には、操作部側筐体２は、表示部側筐体３における操作面２Ａ側に積層配置される。詳細には、操作部側筐体２と表示部側筐体３とは、回転連結部４における回転軸Ｚ１方向から見て外縁が重なるように配置される。携帯電話機１は、閉状態において、操作部側筐体２における操作面２Ａが実質的に露出されない。
【００２９】
図２から図４に示すように、開状態において、操作部側筐体２における操作面２Ａの一部が外部に露出される。開状態において、操作部側筐体２における操作部１１の全部又は一部が露出される。表示部側筐体３は、開状態において、該表示部側筐体３の一部が操作部側筐体２と重なるように配置される。携帯電話機１は、閉状態から操作部側筐体２を回転連結部４により回転移動させることにより開状態に変形される。
【００３０】
具体的には、図３に示すように、携帯電話機１は、閉状態から操作部側筐体２を回転連結部４により矢印Ｆ１方向に回転移動させることで第１開状態に変形される。
第１開状態において、表示部側筐体３の長手方向における回転連結部４と反対側の外縁３２は、図３において左側に配置される。第１開状態において、表示部側筐体３の長手方向における回転連結部４側の外縁３１は、操作部側筐体２における幅方向における一方の外縁２３と重なるように配置される。また、表示部側筐体３の幅方向における一方の外縁３４は、操作部側筐体２における長手方向における一方の外縁２１と重なるように配置される。
【００３１】
第１開状態において、操作部１１における全部が外部に露出される。回転連結部４が閉状態において配置される位置から外縁２１側に移動されることで、表示部側筐体３は、外縁２１側に移動される。これにより、第１開状態において、操作部１１における多くの領域（全部）が外部に露出される。
【００３２】
また、図４に示すように、携帯電話機１は、閉状態から操作部側筐体２を回転連結部４により矢印Ｆ２方向に回転移動させることで第２開状態に変形される。
第２開状態において、表示部側筐体３の長手方向における回転連結部４側の外縁３１は、図４において右側に配置される。第２開状態において、表示部側筐体３の長手方向における回転連結部４と反対側の外縁３２は、操作部側筐体２における幅方向における他方の外縁２４と重なるように配置される。また、表示部側筐体３の幅方向における他方の外縁３３は、操作部側筐体２における長手方向における一方の外縁２１と重なるように配置される。
【００３３】
第２開状態において、操作部１１における全部が外部に露出される。回転連結部４が閉状態において配置される位置から外縁２１側に移動されることで、表示部側筐体３は、外縁２１側に移動される。これにより、第２開状態において、操作部１１における多くの領域（全部）が外部に露出される。
【００３４】
上述の通り、閉状態から開状態に変形する態様として、閉状態から表示部側筐体３を第１方向に回転移動させる場合と、閉状態から表示部側筐体３を第２方向に回転移動させる場合とを選択することができる。また、ここで、携帯電話機１を閉状態から開状態に変形させることで、所定の機能が動作するようにできる。具体的には、開状態から表示部側筐体３を第１方向に回転移動させて第１開状態にした場合には複数の機能のうち第１機能を動作させ、閉状態から表示部側筐体３を第２方向に回転移動させて第２開状態にした場合には第１機能とは異なる第２機能を動作させるようにすることができる。
【００３５】
詳細には、図１４に示すように、携帯電話機１は、操作部側筐体２における回転方向を検知する検知部２００と、検知部２００により検知された回転方向に応じて所定の機能を動作させる機能制御部２１０と、回転方向に応じて画像の表示方向（態様）を制御する画像制御部２２０と、を備える。そして、検知部２００により表示部側筐体３における第１方向への回転を検知した場合、機能制御部２１０は複数の機能のうちワンセグテレビ放送視聴機能を動作させると共に、画像制御部２２０は操作部１１側から表示部２０を見た場合を基準として画像の表示方向（態様）を制御する。また、検知部２００により表示部側筐体３における第２方向への回転を検知した場合、機能制御部２１０は複数の機能から電子メール閲覧機能を動作させると共に、画像制御部２２０は操作部１１側から表示部２０を見た場合を基準として画像の表示方向（態様）を制御する。
【００３６】
図５から図７に示すように、携帯電話機１が開状態にておいて、連結筐体６及び操作部側筐体２は、表示面３Ａ（又は表示部２０）と操作部側筐体２における操作面２Ａ（又は操作部１１）とのなす角度Ａが小さくなるように矢印Ｆ３方向に回動移動されることで立ち上がり状態に変形される。
【００３７】
具体的には、図５に示すように、図３における第１開状態から連結筐体６及び表示部側筐体３を矢印Ｆ３方向に立ち上がるように回動移動させることで、携帯電話機１は、第１立ち上がり状態に変形される。表示部側筐体３の立ち上がり状態は、回動連結部５の仕様により自由に設定できる。例えば、表示部側筐体３の立ち上がり状態を無段階で角度Ａが１８０度から０度になるまで立ち上がり可能に設定することができる。本実施形態においては、表示部側筐体３の立ち上がり状態は、角度Ａが１１０度まで無段階で立ち上がるように設定される。第１立ち上がり状態において、操作部１１の全部が露出される共に、表示部２０が水平方向に長くなるように配置される。つまり、表示部２０に表示された画像を見ながら操作部１１による操作が可能な態様である。また、第１立ち上がり態様は、テレビ画像や映画画像を表示するのに好適な状態といえる。
【００３８】
図６に示すように、図４における第２開状態から連結筐体６及び表示部側筐体３を矢印Ｆ３方向に立ち上がるように回動移動させることで、携帯電話機１は、第２立ち上がり状態に変形される。表示部側筐体３の立ち上がり状態については上述と同様である。第２立ち上がり状態においても上述と同様に、操作部１１の全部が露出される共に、表示部２０が水平方向に長くなるように配置される。つまり、表示部２０に表示された画像を見ながら操作部１１による操作が可能な態様である。また、第２立ち上がり態様は、テレビ画像や映画画像を表示するのに好適な状態といえる。
【００３９】
図７に示すように、立ち上がり状態において、連結筐体６は、収容部７から離間して配置される。収容部７は、連結筐体６の外形より一回り大きな凹状に形成される。回動連結部５は、収容部７の近傍であって該収容部７の外縁に沿って形成される。
また、収容部７における底面７Ａと操作部側筐体２の裏面２Ｂとの間には、部材としての不図示の電子部品、ＣＰＵ等が実装された回路基板７０を含む基板やバッテリが収容配置される。
【００４０】
続けて、回転連結部４を移動させるカム機構３０及びカム機構３０の動作について説明する。
図８は、閉状態におけるカム機構３０を説明する正面図である。図９は、図８におけるＤ―Ｄ断面図である。図１０は、携帯電話機１が閉状態から開状態に変形した状態を示す平面図である。図１１は、携帯電話機１が第１開状態に変形した状態を示す平面図である。図１２は、携帯電話機１が第３開状態に変形した状態を示す平面図である。
【００４１】
図８及び図９に示すように、カム機構３０は、回転連結部４に取り付けられるカム部４０と、回転連結部４を長手方向ＹにおけるＹ１側に向かうよう付勢する付勢部材としてのバネ部材４５と、カム部４０に当接して回転連結部４の移動を規制するピン部材４１と、連結筐体６に形成され回転連結部４の移動を案内するガイド部４２と、を備える。
【００４２】
カム部４０は、回転連結部４に取り付けられ表示部側筐体３の回転移動に対応して回転移動される。カム部４０は、縦長状であって、閉状態でピン部材４１が係合する第１凹部４０ａと、第１開状態でピン部材４１が係合する第２凹部４０ｂと、第２開状態でピン部材４１が係合する第３凹部４０ｃと、第３開状態でピン部材４１が係合する第４凹部４０ｄと、を有する。
【００４３】
表示部側筐体３の回転移動により回転移動されるカム部４０の外周には、ピン部材４１が当接される。カム部４０の外周に当接されるピン部材４１により、カム部４０が取り付けられた回転連結部４における長手方向ＹにおけるＹ１方向への移動が規制される。
【００４４】
バネ部材４５は、回転連結部４を長手方向ＹにおけるＹ１側に向かうよう付勢する。バネ部材４５は、連結筐体６に一端が回転連結部４に当接して配置される。バネ部材４５は、所定の弾性力を有した状態で回転連結部４に当接して配置される。
【００４５】
ピン部材４１は、連結筐体６における表示部側筐体３側の面に突出して配置される。ピン部材４１は、カム部４０の外周に当接して配置される。ピン部材４１は、バネ部材４５による付勢方向に対抗して配置される。ピン部材４１は、回転連結部４を介して付勢されたカム部４０の移動を規制する。ピン部材４１は、上述の通り、閉状態において第１凹部４０ａに係合し、第１開状態において第２凹部４０ｂに係合し、第２開状態において第３凹部４０ｃと係合し、第３開状態において第４凹部４０ｄと係合する。
【００４６】
ガイド部４２は、連結筐体６における表示部側筐体３側に長手方向Ｙに延びるように形成される溝部である。ガイド部４２は、回転連結部４における長手方向Ｙにおける移動を案内する。
【００４７】
図８に示すように、閉状態において、ピン部材４１には、カム部４０における第１凹部４０ａが当接される。閉状態において、カム部４０に連結された回転連結部４は、ガイド部４２の長手方向ＹにおけるＹ２側に配置される。
【００４８】
図１０に示すように、閉状態から表示部側筐体３が矢印Ｆ１方向に回転移動することで、カム部４０は、表示部側筐体３の回転に対応して回転移動される。これにより、ピン部材４１は、カム部４０の外周における第１凹部４０ａと第２凹部４０ｂとの間に当接される。表示部側筐体３が矢印Ｆ１方向に回転移動するにしたがって、回転連結部４は、ガイド部４２に沿って長手方向ＹにおけるＹ１側に移動される。
【００４９】
図１１に示すように、第１開状態において、ピン部材４１は、カム部４０における第２凹部４０ｂに係合する。カム部４０における第２凹部４０ｂから回転連結部４までの距離は、第１凹部４０ａから回転連結部４までの距離よりも短いため、バネ部材４５により付勢される回転連結部４は、ガイド部４２に沿って長手方向ＹにおけるＹ２側に移動される。第１開状態において、回転連結部４は、ガイド部４２におけるＹ２側の端部に配置される。つまり、第１開状態において、回転連結部４に取り付けられる表示部側筐体３は、回転連結部４の移動に対応して長手方向ＹにおけるＹ２側に移動される。これにより、操作部側筐体２における操作面２Ａ（操作部１１）におけるより広い領域が外部に露出される。
【００５０】
図１２に示すように、第３開状態において、ピン部材４１は、カム部４０における第４凹部４０ｄに係合する。第３開状態において、回転連結部４は、ガイド部４２におけるＹ２側の端部に配置される。操作部側筐体２における操作面２Ａ（操作部１１）におけるより広い領域が外部に露出される。
【００５１】
続けて、図１３により、携帯電話機１における信号線１００の引きまわしについて説明する。図１３は、携帯電話機１における信号線１００の引きまわしについて説明する図である。
図１３に示すように、信号線１００は、操作部側筐体２に収容配置される回路基板７０と、操作部側筐体２に収容配置されるプリント基板７１とをつなぐように配置される。信号線１００は、操作部側筐体２と、連結筐体６と、表示部側筐体３とにわたって配置される。
【００５２】
操作部側筐体２に収容配置される回路基板７０に一端側が接続される信号線１００は、回動連結部５における不図示の中空部を介して連結筐体６まで配置されると共に、回転連結部４における不図示の中空部を介して表示部側筐体３まで配置されて、他端側が表示部側筐体３に収容配置されるプリント基板７１に接続される。
【００５３】
続けて、携帯電話機１における動作について説明する。
まず、図１における閉状態から表示部側筐体３を矢印Ｆ１方向に回転移動させることで、図３に示す第１開状態に携帯電話機１を変形させる。
これにより、まず、検知部２００により表示部側筐体３における矢印Ｆ１方向への回転が検知される。次いで、機能制御部２１０により、ワンセグテレビ放送視聴機能が動作され、表示部２０に画像制御部２２０により表示態様が調整されたワンセグテレビ放送に基づく画像が表示される。
また、第１開状態において、図１１に示すように、回転連結部４及び表示部側筐体３は長手方向ＹにおけるＹ２側に移動され、操作部１１が露出される。また、図３に示すように、操作部側筐体２及び表示部側筐体３は、互いの外縁２３と外縁３１とが重なるように配置される。
【００５４】
また、図１における閉状態から表示部側筐体３を矢印Ｆ２方向に回転移動させることで、図４に示す第２開状態に携帯電話機１を変形させる。
これにより、まず、検知部２００により表示部側筐体３における矢印Ｆ２方向への回転が検知される。次いで、機能制御部２１０により、電子メール閲覧機能が動作され、表示部２０に画像制御部２２０により表示態様が調整されたメール閲覧の初期画像が表示される。
また、第２開状態において、回転連結部４及び表示部側筐体３は長手方向ＹにおけるＹ２側に移動され、操作部１１が露出される。また、図４に示すように、操作部側筐体２及び表示部側筐体３は、互いの外縁２４と外縁３２とが重なるように配置される。
【００５５】
また、図３における第１開状態から表示部側筐体３を矢印Ｆ３方向に立ち上がるように回動移動させることで、図５に示す第１立ち上がり状態に携帯電話機１を変形させる。具体的には、連結筐体６を矢印Ｆ３方向に回動移動させることで表示部側筐体３を矢印Ｆ３方向に回動移動させて携帯電話機１を第１立ち上がり状態に変形させる。
第１立ち上がり状態において、表示部側筐体３は角度Ａが１１０度になるよう開閉移動されると共に、該開閉移動された状態で保持される。
第１立ち上がり状態において、操作部１１側から表示部２０を見た場合、ワンセグテレビ放送に基づく画像を好適に視聴することができる。
【００５６】
また、図４における第２開状態から表示部側筐体３を矢印Ｆ３方向に立ち上がるように回動移動させることで、図６に示す第２立ち上がり状態に携帯電話機１を変形させる。具体的には、連結筐体６を矢印Ｆ３方向に回動移動させることで表示部側筐体３を矢印Ｆ３方向に回動移動させて携帯電話機１を第２立ち上がり状態に変形させる。
第２立ち上がり状態において、表示部側筐体３は角度Ａが１１０度になるよう開閉移動されると共に、該開閉移動された状態で保持される。
第２立ち上がり状態において、操作部１１側から表示部２０を見た場合、メール閲覧機能に基づく画像を好適に視聴することができると共に、操作部１１において文字入力等の操作を好適に行うことができる。
【００５７】
本実施形態によれば、閉状態から開状態への変形だけでなく、立ち上がり状態に変形させることができるので、ユーザの使用態様に応じて、携帯電話機１を表示部２０に表示される画像が見やすい態様にすることができ、利用者の利便性を向上させることができる。例えば、携帯電話機１を机上等に載置した場合、第１立ち上がり状態や第２立ち上がり状態に変形することで、ワンセグテレビ放送、映画、メール、インターネット、ゲーム、映画等の画像（映像を含む）を好適に閲覧・視聴することができる。また、表示される画像が横長である場合には特に好適である。
【００５８】
また、本実施形態によれば、第１立ち上がり状態及び第２立ち上がり状態の双方で携帯電話機１を使用することができる。これにより、所望の態様で表示部２０に表示された画像を見ることができ、利用者の利便性を向上させることができる。もちろん、角度Ａは１１０度に限定されるものではなく、その他の角度でも良く、表示部２０の視認性からすると、角度Ａは、９０度から１７０度、より好ましくは、１００度から１６０度程度が好ましい。更に、携帯電話機１の置かれ方にもよるが、角度Ａが９０度以下が表示部２０の視認性から好ましい場合もありうる。
【００５９】
また、本実施形態によれば、携帯電話機１を閉状態から開状態にする場合において、表示部側筐体３の回転方向に応じて異なる機能が動作されるようにしている。これにより、携帯電話機１を開状態に変形させる態様により動作させる機能を選択することができ、利用者の利便性を向上させることができる。
【００６０】
また、本実施形態によれば、第１開状態及び第２開状態において、操作部側筐体２と表示部側筐体３との外縁が重なるように配置されるので、外観上の違和感を感じることなく携帯電話機１を使用することができ、利用者の利便性を向上させることができる。
【００６１】
また、本実施形態によれば、閉状態から開状態に変形するにしたがって回転連結部４が長手方向ＹにおけるＹ２側に移動するように構成されるので、操作面２Ａにおける露出面を広くすることができる。これにより、操作部側筐体２における操作部１１を広くすることができ、利用者の利便性を向上させることができる。
【００６２】
また、本実施形態によれば、連結筐体６が収容部７に収容されるので、携帯電話機１における厚さを薄くすることができる。また、収容部７は凹状に形成されるので、収容部の底面と操作部側筐体２の裏面３Ｂとの間に電子部品や基板等を配置することができる。携帯電話機１における実装効率の面で好適である。
【００６３】
以上、好適な実施形態について説明したが、本発明は上述した実施形態に限定されることなく種々の形態で実施することができる。例えば、本実施形態において、携帯端末装置として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００６４】
また、本実施形態において、閉状態から開状態に変形するにしたがって、回転連結部４が長手方向ＹにおけるＹ１側に移動するように構成されるが、これに限定されず、移動しないように構成してもよい。
【００６５】
また、本実施形態において、携帯電話機１が閉状態から第１開状態に変形された場合にはワンセグテレビ放送視聴機能を動作させ、第２開状態に変形された場合には電子メール閲覧機能を動作させるように構成されるが、これに限定されない。例えば、第１開状態において電子メール閲覧機能を動作させ、第２開状態においてワンセグテレビ放送視聴機能を動作させるように構成してもよい。また、第１開状態又は第２開状態において他の機能が動作するように構成してもよい。
【００６６】
また、本実施形態において、収容部７は凹状に形成されるが、これに限定されず、例えば、操作部側筐体２における厚さ方向に貫通した孔状に形成されてもよい。収容部７が孔状に形成された場合、携帯電話機１が軽量化されるというメリットがある。
【図面の簡単な説明】
【００６７】
【図１】閉状態における携帯電話機１の斜視図である。
【図２】開状態（第３開状態）における携帯電話機１の斜視図である。
【図３】第１開状態における携帯電話機１の斜視図である。
【図４】第２開状態における携帯電話機１の斜視図である。
【図５】第１立ち上がり状態における携帯電話機１の斜視図である。
【図６】第２立ち上がり状態における携帯電話機１の斜視図である。
【図７】第２立ち上がり状態における携帯電話機１を裏面からみた斜視図である。
【図８】閉状態におけるカム機構３０を説明する正面図である。
【図９】図８におけるＤ―Ｄ断面図である。
【図１０】携帯電話機１が閉状態から開状態に変形した状態を示す平面図である。
【図１１】携帯電話機１が第１開状態に変形した状態を示す平面図である。
【図１２】携帯電話機１が第３開状態に変形した状態を示す平面図である。
【図１３】携帯電話機１における信号線１００の引きまわしについて説明する図である。
【図１４】携帯電話機１における機能ブロック図である。
【符号の説明】
【００６８】
１          携帯電話機
２          操作部側筐体（第１筐体）
２Ａ        操作面（第１面）
３          表示部側筐体（第２筐体）
３Ａ        表示面（第２面）
４          回転連結部
５          回動連結部
６          連結筐体（第３筐体）
７          収容部
２００      検知部
２１０      機能制御部
２２０      画像制御部
Ｚ１        回転軸
Ｚ２        回動軸
【図１】
0004695661.tif 000002
【図２】
0004695661.tif 000003
【図３】
0004695661.tif 000004
【図４】
0004695661.tif 000005
【図５】
0004695661.tif 000006
【図６】
0004695661.tif 000007
【図７】
0004695661.tif 000008
【図８】
0004695661.tif 000009
【図９】
0004695661.tif 000010
【図１０】
0004695661.tif 000011
【図１１】
0004695661.tif 000012
【図１２】
0004695661.tif 000013
【図１３】
0004695661.tif 000014
【図１４】
0004695661.tif 000015